(57)【特許請求の範囲】
【請求項１】
冷却器室で生成される冷気を強制的に各室に循環させ、冷蔵室扉を有する冷蔵室を備えた冷蔵庫において、
前記冷蔵室内の両側壁に設けられ、食品を載置する食品収納棚を支持し、前記側壁との間に風路が形成された一対の棚支持部と、
前記冷却器室からの冷気を前記冷蔵室の背面に導き、前記棚支持部の風路へ分流させる背面ダクトと、
前記冷蔵室内の両側壁の前部に設けられ、前記棚支持部の風路に連結し、冷気を前記冷蔵室及び前記冷蔵室扉に向って吹き出す縦長の吹き出し口ダクトとを備え、
前記吹き出し口ダクトは、縦長の吹き出し口を有する吹き出し口部品と、この吹き出し口部品が係合し前記冷蔵室の側壁に固定される吹き出し口部品取付部材とを備え、
前記吹き出し口部品は、吹き出し口部品取付部材に係合する複数の係合爪を有し、
前記吹き出し口部品取付部材は、前記側壁にネジ固定するためのボス部と、長手方向両端部に前記冷蔵室の側壁に係合する係合片と、前記吹き出し口部品の複数の係合爪が係合する複数の係合孔とを有し、
前記吹き出し口部品の複数の係合爪は、前記吹き出し口部品取付部材の複数の係合孔に取り外し可能に係合することを特徴とする冷蔵庫。
【請求項２】
前記冷蔵室の上下に複数の棚支持部を有し、それらの複数の棚支持部の中の略中央部の棚支持部に前記風路を設けることを特徴とする請求項１記載の冷蔵庫。
【請求項３】
前記吹き出し口部品を金属調に塗装することを特徴とする請求項１又は２記載の冷蔵庫。
【請求項４】
冷却器室で生成される冷気を強制的に各室に循環させ、冷蔵室扉を有する冷蔵室を備えた冷蔵庫において、
前記冷蔵室内の両側壁に設けられ、食品を載置する食品収納棚を支持し、前記側壁との間に風路が形成された一対の棚支持部と、
前記冷却器室からの冷気を前記冷蔵室の背面に導き、前記棚支持部の風路へ分流させる背面ダクトと、
前記冷蔵室内の両側壁の前部に設けられ、前記棚支持部の風路に連結し、冷気を前記冷蔵室及び前記冷蔵室扉に向って吹き出す縦長の吹き出し口ダクトとを備え、
前記吹き出し口ダクトは、縦長の吹き出し口を有する吹き出し口部品と、この吹き出し口部品が係合し前記冷蔵室の側壁に固定される吹き出し口部品取付部材とを備え、
前記棚支持部の端部を前記吹き出し口部品取付部材と前記側壁との間にもぐりこませることにより、前記棚支持部を前記側壁に固定することを特徴とする冷蔵庫。
【請求項５】
冷却器室で生成される冷気を強制的に各室に循環させ、冷蔵室扉を有する冷蔵室を備えた冷蔵庫において、
前記冷蔵室内の両側壁に設けられ、食品を載置する食品収納棚を支持し、前記側壁との間に風路が形成された一対の棚支持部と、
前記冷却器室からの冷気を前記冷蔵室の背面に導き、前記棚支持部の風路へ分流させる背面ダクトと、
前記冷蔵室内の両側壁の前部に設けられ、前記棚支持部の風路に連結し、冷気を前記冷蔵室及び前記冷蔵室扉に向って吹き出す縦長の吹き出し口ダクトとを備え、
前記吹き出し口ダクトは、縦長の吹き出し口を有する吹き出し口部品と、この吹き出し口部品が係合し前記冷蔵室の側壁に固定される吹き出し口部品取付部材とを備え、
前記吹き出し口部品取付部材は前記側壁にネジ固定するためのボス部を有し、
前記棚支持部の端部を前記ボス部と前記側壁との間へもぐりこませ、前記吹き出し口部品取付部材と前記棚支持部とを前記側壁へ友締めすることを特徴とする冷蔵庫。
【発明の詳細な説明】
【技術分野】
【０００１】
この発明は、冷蔵室が最上部に配設されると共に、扉に食品収納部を設け、さらに冷蔵室に食品収納用の棚を配置している中大型の冷蔵庫に関するものである。
【背景技術】
【０００２】
従来の冷蔵庫は、最上部に冷蔵室、この冷蔵室の下部に室内温度を切り替えることができる切替室及び製氷室、切替室の下部に野菜室、最下部に冷凍室を配置しているものがある。そして夫々の室の前面開口部には、自在に開閉できる扉が取り付けられている。
【特許文献１】特開平０１−３００１８０号公報
【発明の開示】
【発明が解決しようとする課題】
【０００３】
しかしながら、従来の冷蔵庫は、冷蔵室への冷気の吹き出し口が冷蔵室奥側に設置されている。そのため冷蔵室の温度分布が均一にならず偏りが生じるという課題があった。
【０００４】
この発明は、上記のような課題を解決するためになされたもので、冷蔵室の温度分布を均一にすることができる冷蔵庫を提供することを目的とする。
【課題を解決するための手段】
【０００５】
この発明に係る冷蔵庫は、冷却器室で生成される冷気を強制的に各室に循環させ、冷蔵室扉を有する冷蔵室を備えた冷蔵庫において、冷蔵室内の両側壁に設けられ、食品を載置する食品収納棚を支持し、側壁との間に風路が形成された一対の棚支持部と、冷却器室からの冷気を冷蔵室の背面に導き、棚支持部の風路へ分流させる背面ダクトと、冷蔵室内の両側壁の前部に設けられ、棚支持部の風路に連結し、冷気を冷蔵室及び冷蔵室扉に向って吹き出す縦長の吹き出し口ダクトとを備えたことを特徴とする。
【発明の効果】
【０００６】
この発明に係る冷蔵庫は、冷気を冷蔵室及び冷蔵室扉に向って吹き出す縦長の吹き出し口ダクトを冷蔵庫の前部に形成したので、冷蔵室前側の冷却ムラの課題が解消され、冷蔵室の温度分布を均一にすることができる。
【発明を実施するための最良の形態】
【０００７】
実施の形態１．
図１乃至図８は実施の形態１を示す図で、図１は冷蔵庫１の縦断面図、図２は冷蔵室２内の左側面の部分拡大図、図３は吹き出し口部品２１の平面図（ａ）と側面図（ｂ）と裏面図（ｃ）、図４は吹き出し口部品取付部材２３の側面図（ａ）と平面図（ｂ）、図５は冷蔵室２を裏側からみた風路構成図、図６は図２を裏側からみた冷蔵室側面図、図７は棚支持部２２と吹き出し口ダクト３０との連結部を示す断面図、図８は棚支持部２２と吹き出し口ダクト３０との連結部の変形例の断面図である。
【０００８】
図１により、冷蔵庫１の全体構成を説明する。冷蔵庫１は、外箱１ｂと内箱１ａとの間に断熱材を充填して形成される断熱箱体を複数の室に仕切り、それらの前面開口部を扉で開閉自在に塞ぐ構成である。
【０００９】
冷蔵庫１の庫内の最上部に冷蔵室２が位置する。冷蔵室２の前面開口部には、冷蔵室扉６が開閉自在に取付られている。冷蔵室２には、複数の食品を載せる棚が設けられる。図１の例では、上から順に食品収納棚１２、食品収納棚１３、食品収納棚１４の３個の棚が設けられている。また、冷蔵室２の最下部にはチルドケース１１が配設されている。そして、冷蔵室扉６に食品を収納する扉食品収納ポケット１０が上下に３個形成されている。
【００１０】
冷蔵室２の下に、切替室３及び製氷室（図示せず）が位置する。そして、夫々の前面開口部を自在に開閉する切替室扉７及び製氷室扉（図示せず）が取り付けられている。
【００１１】
切替室３及び製氷室の下に、野菜室４が位置する。野菜室４の前面開口部を自在に開閉する野菜室扉８が取り付けられている。
【００１２】
冷蔵庫１の最下部で、野菜室４の下に冷凍室５が位置する。冷凍室５の前面開口部を自在に開閉する冷凍室扉９が取り付けられている。
【００１３】
冷蔵庫１の最下部の背面側の庫外に機械室１９が位置する。機械室１９には、冷凍サイクルの主要構成部品である圧縮機１５が設けられる。圧縮機１５は、低温・低圧の冷媒ガスを吸入し、高温・高圧の冷媒ガスに圧縮して冷凍サイクルの高圧側に冷媒ガス吐出する。
【００１４】
冷蔵庫１の背面側で、機械室１９の上に冷却器室１８が位置する。冷却器室１８には、冷凍サイクルの冷媒と空気が熱交換して冷気を生成する冷却器１６及びその冷気を庫内の各部に強制的に循環させる送風機１７が設けられる。
【００１５】
冷却器室１８から各室へ冷気を循環させるために、夫々風路が形成されている。図１ではその風路の中の冷蔵室２に向う背面ダクト３１が示されている。背面ダクト３１に送風された冷気（図１で矢印で示す）は、冷蔵室２の背面からも冷蔵室２に吹き出す。そして、背面ダクト３１の冷気はその一部が分流して、食品収納棚１３を支持する一対の棚支持部２２（冷蔵室２の左右側面に２個あり、棚の移動用レール）の裏側（棚支持部２２と内箱１ａ（冷蔵室２の側壁）との間）の空間（風路）を流れる。さらに、その冷気は冷蔵室２に対して縦方向に長く形成された吹き出し口部品２１から前後方向に冷蔵室２に吹き出す。吹き出し口部品２１から前方に吹き出した冷気は、冷蔵室扉６の扉食品収納ポケット１０に収納される食品を冷却する。また、吹き出し口部品２１から後方に吹き出した冷気は、食品収納棚１２、食品収納棚１３、食品収納棚１４等に収納された食品を冷却する。
【００１６】
食品収納棚１３を支持する棚支持部２２は、冷蔵室２の左右側面に２個ある。また、棚支持部２２に接続する吹き出し口部品２１も冷蔵室２の左右側面の前部に２個ある。従って、背面ダクト３１からの冷気は、これらの二つの経路を流れて二つの吹き出し口部品２１から冷蔵室２内に吹き出される。図１では、冷蔵庫１の前側から見て左側の棚支持部２２及び吹き出し口部品２１を示している。冷蔵庫１の前側から見て右側の棚支持部２２及び吹き出し口部品２１は図示されていない。
【００１７】
図１では、側面から見て略Ｔ字形の風路（棚支持部２２及び吹き出し口部品２１）を示したが、食品収納棚１２または食品収納棚１４を支持する棚支持部（図示せず）に風路を形成して、逆Ｌ字又はＬ字の風路にしてもよい。
【００１８】
このような構成とすることにより、冷蔵室２の背面のみから冷気を吹き出すものに比べ、冷蔵室２内の温度分布を均一にすることができる。
【００１９】
図２は冷蔵室２内の左側面の部分拡大図である。食品収納棚１３を支持する棚支持部２２と吹き出し口部品２１とで、略Ｔ字状のダクトを形成している点を示している。吹き出し口部品２１には、縦方向に細く形成された吹き出し口２１ａが設けられる。この吹き出し口２１ａから、図２の矢印で示すように前後方向に冷気が吹き出される。
【００２０】
食品収納棚１３を支持する棚支持部２２は、内箱１ａとの間に風路を形成するが、図２では見えていない。裏側に風路が形成されている。
【００２１】
図３に吹き出し口部品２１の詳細な形状を示す。吹き出し口部品２１の材料は、例えばＡＢＳ樹脂である。吹き出し口部品２１は全体が細長い形状である。そして、吹き出し口２１ａが長手方向に複数個（図３の例は６個）形成されている。さらに、複数（図３では４個）の係合爪２１ｂが設けられ、後述する吹き出し口部品取付部材２３に係合する。吹き出し口部品２１と吹き出し口部品取付部材２３とで、吹き出し口ダクトを構成する。
【００２２】
図４に吹き出し口部品取付部材２３の詳細を示す。吹き出し口部品取付部材２３の材料もＡＢＳ樹脂である。吹き出し口部品２１と吹き出し口部品取付部材２３とで吹き出し口ダクトを構成するので、吹き出し口部品取付部材２３は、吹き出し口部品２１と同様細長い形状である。吹き出し口部品取付部材２３の略中央に、孔を有するボス部２３ａが形成されている。また、長手方向両端部に内箱１ａに係合する係合片２３ｂが設けられる。吹き出し口部品取付部材２３は、ボス部２３ａがネジにより内箱１ａに固定されると共に、係合片２３ｂが内箱１ａに係合することで内箱１ａに固定される。さらに、吹き出し口部品２１の係合爪２１ｂが係合する係合孔２３ｃが、係合爪２１ｂと同数（図４では４個）形成されている。
【００２３】
吹き出し口部品２１は、内箱１ａに直接固定されないで、吹き出し口部品取付部材２３に係合により固定される。そのため、必要に応じて吹き出し口部品２１を取り外すことが可能である。
【００２４】
図５に示すように、冷却器室１８を出た冷気の一部は背面ダクト３１を流れ、背面ダクト３１の途中から分流して棚支持部２２の風路に入る。棚支持部２２の風路から吹き出し口ダクト３０に流れ、吹き出し口部品２１の吹き出し口２１ａから冷蔵室２の前面から、冷蔵室２及び冷蔵室扉６に向って冷気が吹き出される。
【００２５】
図６は図２を裏側からみた冷蔵室側面図である。棚支持部２２を内箱１ａ側から見ている。棚支持部２２に連結する吹き出し口ダクト３０の吹き出し口部品取付部材２３の裏側（内箱１ａ側）が見えている。背面ダクト３１から分流した冷気は、棚支持部２２の風路２２ａを通り、吹き出し口ダクト３０に入り冷蔵室２に吹き出す。
【００２６】
図７に示すように、棚支持部２２が吹き出し口ダクト３０の裏側、即ち吹き出し口部品取付部材２３の裏側にもぐりこむ構成になっている。吹き出し口部品取付部材２３は内箱１ａに固定されているので、棚支持部２２を吹き出し口部品取付部材２３の裏側にもぐりこませることにより、ネジ等の締結部品を使用することなく、棚支持部２２の固定が可能となる。
【００２７】
また、既に述べたように、吹き出し口部品２１は係合により吹き出し口部品取付部材２３に固定されているので、吹き出し口部品２１は取り外しが可能である。
【００２８】
以上のように、棚支持部２２をネジ等の締結部品を使用することなく固定できるので、組立作業性の改善、部品価格の低減が可能となる。
【００２９】
また、吹き出し口部品２１は、吹き出し口部品取付部材２３から取り外しが可能で、清掃することができる。
【００３０】
吹き出し口部品２１を、例えば金属調に塗装を施すことにより、冷蔵室の意匠性を向上することができる。
【００３１】
図８は棚支持部２２と吹き出し口ダクト３０との連結部の変形例の断面図である。図８に示す変形例では、棚支持部２２の端部を吹き出し口部品取付部材２３のボス部２３ａの裏側までもぐりこませている。棚支持部２２を吹き出し口部品取付部材２３と内箱１ａにネジで友締めする。
【００３２】
棚支持部２２を吹き出し口部品取付部材２３と内箱１ａにネジで友締めすることにより、棚支持部２２の固定をより確実にすることができる。
【図面の簡単な説明】
【００３３】
【図１】実施の形態１を示す図で、冷蔵庫１の縦断面図。
【図２】実施の形態１を示す図で、冷蔵室２内の左側面の部分拡大図。
【図３】実施の形態１を示す図で、吹き出し口部品２１の平面図（ａ）と側面図（ｂ）と裏面図（ｃ）。
【図４】実施の形態１を示す図で、吹き出し口部品取付部材２３の側面図（ａ）と平面図（ｂ）。
【図５】実施の形態１を示す図で、冷蔵室２を裏側からみた風路構成図。
【図６】実施の形態１を示す図で、図２を裏側からみた冷蔵室側面図。
【図７】実施の形態１を示す図で、棚支持部２２と吹き出し口ダクト３０との連結部を示す断面図。
【図８】実施の形態１を示す図で、棚支持部２２と吹き出し口ダクト３０との連結部の変形例の断面図。
【符号の説明】
【００３４】
１  冷蔵庫、１ａ  内箱、１ｂ  外箱、２  冷蔵室、３  切替室、４  野菜室、５  冷凍室、６  冷蔵室扉、７  切替室扉、８  野菜室扉、９  冷凍室扉、１０  扉食品収納ポケット、１１  チルドケース、１２  食品収納棚、１３  食品収納棚、１４  食品収納棚、１５  圧縮機、１６  冷却器、１７  送風機、１８  冷却器室、１９  機械室、２１  吹き出し口部品、２１ａ  吹き出し口、２１ｂ  係合爪、２２  棚支持部、２２ａ  風路、２３  吹き出し口部品取付部材、２３ａ  ボス部、２３ｂ  係合片、２３ｃ  係合孔、３０  吹き出し口ダクト、３１  背面ダクト。
【図１】
0004980166.tif 000002
【図２】
0004980166.tif 000003
【図３】
0004980166.tif 000004
【図４】
0004980166.tif 000005
【図５】
0004980166.tif 000006
【図６】
0004980166.tif 000007
【図７】
0004980166.tif 000008
【図８】
0004980166.tif 000009